(57)【特許請求の範囲】
【請求項１】
メダルを飛ばしてターゲットに入れるメダルゲーム装置であって、
前記ターゲットは、正面に開口形成されたメダルの投入口と、傾斜状態で前記投入口と対向して配設され、前記投入口から投入されたメダルを滑らせて前記メダルの姿勢を制御する背面板と、前記背面板の下部側に配設され、前記背面板により姿勢制御された前記メダルを通過させる通過路とを有するターゲットボックスと、
前記ターゲットボックスの通過路に配設されたメダル検出用のセンサと、
を備えることを特徴とするメダルゲーム装置。
【請求項２】
請求項１において、
前記背面板は、上部側から下部側にかけて奥側から手前側へと傾斜する状態とされていることを特徴とするメダルゲーム装置。
【請求項３】
請求項１または２において、
前記ターゲットボックスは、両側壁の手前側端部にそれぞれ対向方向への曲折部が形成されていることを特徴とするメダルゲーム装置。
【発明の詳細な説明】
【０００１】
【発明の属する技術分野】
本発明は、メダルゲーム装置に関し、特に、メダルを飛ばしてターゲットに入れるメダルゲーム装置に関する。
【０００２】
【背景技術及び発明が解決しようとする課題】
一般に、メダルゲーム装置として、例えば、メダルを飛ばしてターゲットに入れるようなゲームを行うものが知られている。
【０００３】
このようなメダルゲーム装置において、メダルがターゲットに投入されたことを検出してゲームに反映させるようにしている。
【０００４】
この場合、ターゲットの投入口においてメダルが通過した時点でメダルを検出しようとすると、メダルが扁平形状をしているために、メダルの通過時の角度によってはセンサによって検出されない場合が生じることとなる。
【０００５】
また、ターゲットをホッパー形状として下部にメダル検出用のセンサを配設してメダルを検出しようとすると、ターゲット内でメダルが跳ね返って暴れる状態となり、センサに達するまでに時間がかかってしまい、短時間でメダルの投入状態をゲームに反映させにくいものである。
【０００６】
さらに、ターゲットの投入口が正面に設けられている場合、いったんターゲット内に入ったメダルがターゲット内の壁によって跳ね返されて投入口から飛び出してしまうこともある。
【０００７】
本発明の目的は、ターゲット内に投入されたメダルの跳ね返りによる暴れを防止してメダルを短時間で検出でき、しかも、メダルの姿勢による検出漏れを防止して確実にメダルを検出することができ、さらには、投入口が正面にある場合でも投入されたメダルの飛び出しを確実に防止することのできるメダルゲーム装置を提供することにある。
【０００８】
【課題を解決するための手段】
前記目的を達成するため、本発明のメダルゲーム装置は、メダルを飛ばしてターゲットに入れるメダルゲーム装置であって、
前記ターゲットは、正面に開口形成されたメダルの投入口と、傾斜状態で前記投入口と対向して配設され、前記投入口から投入されたメダルを滑らせて前記メダルの姿勢を制御する背面板と、前記背面板の下部側に配設され、前記背面板により姿勢制御された前記メダルを通過させる通過路とを有するターゲットボックスと、
前記ターゲットボックスの通過路に配設されたメダル検出用のセンサと、
を備えることを特徴とする。
【０００９】
本発明によれば、正面に形成されたメダルの投入口に対し、背面板を傾斜状態で配設し、投入口から投入されたメダルを滑らせてメダルの姿勢を制御することで、ターゲット内に投入されたメダルの跳ね返りによる暴れを防止してメダルを短時間で検出することができる。
【００１０】
また、投入口が正面に設けられていても、背面板の傾斜によって投入されたメダルが跳ね返ってそのまま投入口から飛び出すのを防止することができる。
【００１１】
さらに、投入口を通過した時点でメダルを検出するのではなく、背面板により姿勢制御されたメダルが通過路を通過する際にセンサにて検出するため、メダルの姿勢による検出漏れを防止して確実にメダルを検出することができる。
【００１２】
特に、メダルは背面板によって跳ね返りによる暴れを防止され、姿勢が制御された状態で通過路を通過するため、通過路を狭くした状態でメダルを通過させることができ、その結果、大小各種のメダルを使い分ける場合であっても、メダルの大小に関わらず、しかも、通過路のサイズを変更することなくメダルを検出することが可能となる。
【００１３】
本発明においては、前記背面板は、上部側から下部側にかけて奥側から手前側へと傾斜する状態とされていることが好ましい。
【００１４】
このような構成とすることにより、投入口からターゲットボックス内に入ったメダルは、一旦背面板にあたって上方に移動し、そのまま背面板に沿って下方に移動することとなり、このときメダルは平面部分を背面板に接触させながら移動することとなり、姿勢が制御された状態で通過路へと導かれることとなり、メダルの確実な検出を行うことができる。
【００１５】
本発明においては、前記ターゲットボックスは、両側壁の手前側端部にそれぞれ対向方向への曲折部が形成されていることが好ましい。
【００１６】
このような構成とすることにより、ターゲットボックス内に投入されたメダルが、縦の状態となって側壁に沿って移動してきた場合に、曲折部によってメダルの姿勢が変化して通過路を通過するに適した姿勢に制御された状態となり、メダルの確実な検出を行うことができる。
【００１７】
【発明の実施の形態】
以下、本発明の好適な実施の形態について、図面を参照して詳細に説明する。
【００１８】
図１〜図４は、本発明の一実施の形態に係るメダルゲーム装置を示す図である。
【００１９】
このメダルゲーム装置１０は、メダルプッシャーゲームを行うもので、図１に示すように、複数、例えば４つのステーション１２を有し、各ステーション１２にそれぞれ２つのメダル発射装置１４を設け、同時に複数、例えば８人のプレーヤがメダルプッシャーゲームを楽しむことができるようになっている。
【００２０】
このメダル発射装置１４は、投入されたメダルを横にした状態で跳ね上げ発射するようになっている。
【００２１】
また、各ステーション１２には、ゲームに影響を及ぼさない奥側上部に当たり用のメダルを一時貯留する段状のメダル貯留部１６が設けられ、このメダル貯留部１６の下方にプッシャープレート１８を有するゲームフィールド２０が設けられており、さらに、メダル貯留部１６とゲームフィールド２０との間にターゲット２２が設けられている。
【００２２】
メダル貯留部１６は、複数、例えば本実施の形態では、５つの段部を有し、最上段の段部の上方に設けられた払い出し口２４から各段部のメダル載置面上にメダル２６が供給されるようになっている。
【００２３】
また、このメダル貯留部１６は、最上段の段部が最も幅が狭く、最下段の段部が最も幅が広くなるように上方から下方にかけて徐々に幅が広くなるようにされている。
【００２４】
また、各段部は、同時に回転可能にされており、各段部に蓄えられたメダル２６は、各段部の回転によって払い出し可能にされている。
【００２５】
ゲームフィールド２０では、メダル貯留部１６より払い出されたメダル２６をプッシャープレート１８にて押し出してメダル取出口２８へと排出するようにされている。
【００２６】
ターゲット２２は、メダルの投入口３０を有し、メダル発射装置１４によりメダルの投入口３０を狙ってメダル２６を跳ね上げ発射し、メダルの投入口３０にメダル２６を入れるようにしている。
【００２７】
また、ターゲット２２の上方には、抽選表示部３２が設けられ、メダル２６が投入口３０に投入されることによって、抽選開始や抽選停止が行われるようになっている。
【００２８】
そして、抽選結果に応じて払い出し口２４からメダル貯留部１６にメダル２６を供給したり、メダル貯留部１６に貯留したメダル２６をゲームフィールド２０に供給したり、あるいは、払い出し口２４から直接ゲームフィールド２０に供給したりするようになっている。
【００２９】
また、払い出し口２４は、筐体３８の下部側に設けられた図示せぬメダル供給装置から、上昇搬送レール３４及び横搬送レール３６を介してメダル２６が供給され、メダル２６の払い出しを行うようになっている。
【００３０】
次に、ターゲット２２について図２〜図４を参照して説明する。
【００３１】
ターゲット２２は、ターゲットボックス４０とセンサ４２（図３参照）とを備える。
【００３２】
ターゲットボックス４０は、正面壁４４と、両側壁４６と、背面壁となる背面板４８と、頂壁５０とで囲まれた状態となっている。
【００３３】
正面壁４４と両側壁４６と頂壁５０とで囲まれた部分には、頂壁５０に吊り下げられた状態でメダル２６の投入口３０が形成されており、この投入口３０からメダル２６をターゲットボックス４０内に投入できるようになっている。
【００３４】
また、この投入口３０は、メダル２６を横にした状態で投入可能な十分な幅を有する状態とされている。
【００３５】
投入口３０と対向する背面板４８は、傾斜状態で配設され、投入されたメダル２６の姿勢を制御し得るようにされている。
【００３６】
具体的には、背面板４８は、図３に示すように、上部側から下部側にかけて奥側から手前側へと傾斜する状態とされている。
【００３７】
従って、図３に示すように、投入口３０より横になった状態で投入されたメダル２６は、傾斜した背面板４８にぶつかった後、一旦上方に移動してそこからそのまま背面板４８に沿って下方に移動することとなり、このときメダル２６は平面部分を背面板４８に接触させながら移動することとなり、姿勢制御が行われることとなる。
【００３８】
すなわち、メダル２６は背面板４８によって跳ね返りによる暴れを防止され、即座に姿勢が制御された状態で落下可能にされることとなる。
【００３９】
また、背面板４８の傾斜によってメダル２６は、跳ね返されて投入口３０から飛び出すのを防止されることとなる。
【００４０】
背面板４８の下部側には、背面板４８により姿勢制御されたメダル２６を通過させる通過路５２が配設されている。
【００４１】
この通過路５２の両側上部には、通過路５２に向かって下降傾斜する傾斜導入部５４が設けられ、この傾斜導入部５４によってターゲットボックス４０内の両側部側に滑り落ちたメダル２６を中央のメダル通過路５２側へと案内し得るようにしている。
【００４２】
この通過路５２の背部には、メダル検出用のセンサ４２が配設されている。
【００４３】
このセンサ４２は、通過路５２のほぼ中央位置に配設されている。
【００４４】
このように、背面板４８の傾斜によって姿勢を制御された状態でメダル２６が背面板４８に沿って即座に下方に移動され、通過路５２を通過することで、センサ４２によって通過を検出することができ、短時間でメダル２６の検出を行うことができる。
【００４５】
また、通過路５２は、背面板４８の傾斜によってメダル２６が暴れることなく姿勢制御された状態で通過路５２へと導入できるので、この通過路５２の幅を各種メダルのうち最大径のものに対応させて設定しておけば、大きなメダルや、小さなメダルであっても確実にセンサ４２の配設された中央位置を通過することとなり、各種サイズのメダルの使い分けに対しても十分に対処し得ることとなる。
【００４６】
さらに、両側壁４６の手前側端部には、それぞれ対抗方向への曲折部５８が形成され、この曲折部５８によって、ターゲットボックス４０内に投入されたメダル２６が縦の状態となって側壁４６に沿って移動してきた場合に、メダルの姿勢が制御されて通過路５２を通過するに適した姿勢とされることとなり、このような場合にもメダル２６の確実な検出を行うことができるようになっている。
【００４７】
本発明は、前記実施の形態に限定されるものではなく、本発明の要旨の範囲内において、種々の形態に変形可能である。
【００４８】
例えば、前記実施の形態では、メダルプッシャーゲームに本発明を適用した場合について説明したが、この例に限らず、単にメダルを飛ばしてターゲットに入れることで得点できるようなメダルゲーム装置とすることも可能である。
【００４９】
また、前記実施の形態では、背面板が上部側から下部側にかけて奥側から手前側へと傾斜する状態とされているが、この例に限らず、下部側から上部側にかけて手前側から奥側へと傾斜する状態としたり、左右に傾斜させるような状態とすることによっても同様の結果を得ることが可能である。
【図面の簡単な説明】
【図１】本発明の一実施の形態に係るメダルゲーム装置を示す全体斜視図である。
【図２】図１のターゲットのカバーを取り外した状態を示す正面図である。
【図３】図２のターゲットの側面図である。
【図４】図２及び図３のターゲットの平面図である。
【符号の説明】
１０  メダルゲーム装置
１４  メダル発射装置
２２  ターゲット
２６  メダル
３０  投入口
４０  ターゲットボックス
４２  センサ
４８  背面板
５２  通過路
５８  曲折部
【図１】
0004325828.tif 000002
【図２】
0004325828.tif 000003
【図３】
0004325828.tif 000004
【図４】
0004325828.tif 000005